(57)【要約】  受信装置が、ビデコンテンツ込みのパケット群例えばインターネットプロトコル（ＩＰ）パケット群を受信する。受信装置が、そのパケット群からヘッダ情報を除去する処理及びそのビデオコンテンツをユーザによる後刻視聴に備え記録媒体に録画する処理を実行する。
2013511910.tif 000002
【特許請求の範囲】
【請求項１】
記録媒体と、
ビデオコンテンツ込みの先進型テレビジョン方式委員会モバイル／ハンドヘルド（ＡＴＳＣ−Ｍ／Ｈ）信号を受信する無線受信機と、
ビデオデコーダと、
対応する無線受信機で受信されたビデオコンテンツを前記記録媒体に録画させつつ前記ビデオデコーダに転送する制御用論理回路と、
を備え、
前記ビデオデコーダが前記ビデオコンテンツをデコードして出力装置に供給するモバイル通信装置。
【請求項２】
請求項１記載のモバイル通信装置であって、
前記出力装置が、前記モバイル通信装置と一体の表示画面を有するモバイル通信装置。
【請求項３】
請求項１記載のモバイル通信装置であって、
前記制御用論理回路が、ビデオコンテンツ込みのインターネットプロトコル（ＩＰ）パケットを１個又は複数個受領し、前記ＩＰパケットからＩＰヘッダを除去することで、前記記録媒体に録画すべきビデオコンテンツを得るモバイル通信装置。
【請求項４】
請求項３記載のモバイル通信装置であって、
前記制御用論理回路が、前記ＩＰパケットから更にユーザデータグラムプロトコル（ＵＤＰ）ヘッダを除去することで、前記記録媒体に録画すべきビデオコンテンツを得るモバイル通信装置。
【請求項５】
記録媒体と、
ビデオコンテンツ込みのパケット群を受信する受信機と、
対応する受信機で受信された前記パケット群からヘッダ情報を除去して前記記録媒体に保存させる制御用論理回路と、
を備える装置。
【請求項６】
請求項５記載の装置であって、
ビデオデコーダと、
ビデオコンテンツの視聴を求めるユーザ入力を受領する入力インタフェースと、
を備え、
前記ビデオコンテンツを、前記制御用論理回路が前記記録媒体から読み出し、前記ビデオデコーダがデコードして出力装置に供給する装置。
【請求項７】
請求項５記載の装置であって、
ビデオデコーダを備え、
前記制御用論理回路が、ヘッダ情報除去後のパケット群を、前記記録媒体に保存させつつ前記ビデオデコーダに転送し、
前記ビデオデコーダが、前記ビデオコンテンツをデコードして出力装置に供給する装置。
【請求項８】
請求項５記載の装置であって、出力装置が、請求項５記載の装置と一体化された装置。
【請求項９】
請求項５記載の装置であって、前記パケット群がインターネットプロトコル（ＩＰ）パケット群である装置。
【請求項１０】
請求項５記載の装置であって、前記パケット群が、先進型テレビジョン方式委員会モバイル／ハンドヘルド（ＡＴＳＣ−Ｍ／Ｈ）規格に従い伝送されたパケット群である装置。
【請求項１１】
請求項５記載の装置であって、前記受信機が無線ＡＴＳＣ−Ｍ／Ｈ受信機である装置。
【請求項１２】
請求項５記載の装置であって、前記受信機がモバイル通信装置である装置。
【請求項１３】
ビデオコンテンツ込みで伝送されたパケット群を受信機で受信するステップと、
前記受信機で受信された前記パケット群からヘッダ情報を除去するステップと、
ヘッド情報除去後の前記パケット群を前記受信機に係る記録媒体に保存するステップと、
を有するビデオコンテンツ記録方法。
【請求項１４】
請求項１３記載のビデオコンテンツ記録方法であって、
ヘッダ情報除去後の前記パケット群をその保存と並行してビデオデコーダに転送するステップと、
ヘッダ情報除去後の前記パケット群をデコードしてビデオストリームを得るステップと、
前記ビデオストリームを出力装置に供給するステップと、
を有するビデオコンテンツ記録方法。
【請求項１５】
請求項１４記載のビデオコンテンツ記録方法であって、
前記受信機と一体の出力装置を使用するビデオコンテンツ記録方法。
【請求項１６】
請求項１３記載のビデオコンテンツ記録方法であって、
受信される前記パケット群が、ビデオコンテンツ込みのインターネットプロトコル（ＩＰ）パケット群であるビデオコンテンツ記録方法。
【請求項１７】
請求項１３記載のビデオコンテンツ記録方法であって、
前記パケット群が、先進型テレビジョン方式委員会モバイル／ハンドヘルド（ＡＴＳＣ−Ｍ／Ｈ）規格に従い伝送されたパケット群であるビデオコンテンツ記録方法。
【請求項１８】
請求項１３記載のビデオコンテンツ記録方法であって、
前記受信機がモバイル通信装置であるビデオコンテンツ記録方法。
【請求項１９】
請求項１８記載のビデオコンテンツ記録方法であって、
前記モバイル通信装置が携帯電話であるビデオコンテンツ記録方法。
【請求項２０】
請求項１３記載のビデオコンテンツ記録方法であって、
前記パケット群からヘッダ情報を除去するステップが、
前記パケット群からインターネットプロトコル（ＩＰ）ヘッダ情報を除去するサブステップと、
前記パケット群からユーザデータグラムプロトコル（ＵＤＰ）ヘッダ情報を除去するサブステップと、
を含むビデオコンテンツ記録方法。
【発明の詳細な説明】
【技術分野】
【０００１】
本発明はビデオコンテンツを受信するシステム、方法及び装置、より詳細にはインターネットプロトコル（ＩＰ）パケット群をなす形態等で伝送されたものをはじめとするパケット化ビデオコンテンツを受信する技術に関する。例えば、先進型テレビジョン方式委員会（ＡＴＳＣ）モバイル／ハンドヘルド（Ｍ／Ｈ）規格に従い伝送されたビデオコンテンツを受信し、ユーザによる後刻視聴に備えパケット群を保存する受信装置等である。
【背景技術】
【０００２】
本願で実施形態説明の脈絡を構成しているのはＡＴＳＣ−Ｍ／Ｈ規格である。ＡＴＳＣ−Ｍ／Ｈ規格はモバイルデバイス、例えば携帯電話向けにモバイルディジタルテレビジョン（ＤＴＶ）放送サービスを提供する際の指針となる。本願で提案している技術はモバイルデバイスでのビデオコンテンツの受信及び録画、特にＡＴＳＣ−Ｍ／Ｈ規格によるそれに役立つものであるが、非モバイルデバイスでのビデオコンテンツの受信及び録画、例えばＡＴＳＣーＡ／５３規格によるそれにも適用可能である。
【先行技術文献】
【非特許文献】
【０００３】
【非特許文献１】The Candidate Standard: ATSC Mobile DTV Standard (A/153) available from the Advanced Television Systems Committee of Washington D.C.,dated May 29, 2009
【発明の概要】
【発明が解決しようとする課題】
【０００４】
ＡＴＳＣ−Ｍ／Ｈ規格では、ビデオコンテンツがパケット群例えばＩＰパケット群の形態で受信装置に送られる。本発明は、記録媒体への録画に先立ち制御用論理回路がＩＰパケット群からＩＰヘッダを除去することで、モバイルデバイス例えば携帯電話での録画に適したサイズにビデオコンテンツのサイズを抑えること等を目的とする。
【課題を解決するための手段】
【０００５】
本発明は、ＡＴＳＣ−Ｍ／Ｈ方式ビデオコンテンツを受信可能な受信装置として実施することができる。本装置は、ビデオコンテンツを録画可能な記録媒体と、ビデオコンテンツ込みのＡＴＳＣ−Ｍ／Ｈ信号を受信可能な無線受信機と、対応する無線受信機で受信されたビデオコンテンツを記録媒体に録画させつつ本受信装置内のビデオデコーダに転送する制御用論理回路と、そのビデオコンテンツをデコードしユーザによる視聴に備え出力装置に供給するビデオデコーダと、を備える。
【０００６】
本発明は、パケット化コンテンツを受信可能な受信装置として実施することができる。本装置は、記録媒体と、ビデオコンテンツ込みのパケット群を受信する受信機と、対応する受信機で受信されたパケット群からヘッダ情報を除去して記録媒体に保存させる制御用論理回路と、を備える。
【０００７】
本発明は、ビデオコンテンツ録画方法として実施することができる。本方法は、ビデオコンテンツ込みで伝送されたパケット群を受信機で受信するステップと、受信機で受信されたパケット群からヘッダ情報を除去するステップと、ヘッド情報除去後のパケット群をその受信機に係る記録媒体に保存するステップと、を有する。
【図面の簡単な説明】
【０００８】
【図１】通信網の一例を示す図である。
【図２】図１中の受信装置に関しその一例を示す図である。
【図３】ビデオコンテンツを受信及び録画するプロセスの一例を示す図である。
【発明を実施するための形態】
【０００９】
図中、同一又は同様の部材には同一の参照符号を付してある。
【００１０】
図１に通信網の一例１００を示す。図示の通り、この通信網１００はコンテンツ源１０２、テレビジョン（ＴＶ）配信システム１０４、受信装置１０６及び出力装置１０８で構成されている。以下、個々の構成部材についてより詳細に説明する一方、通信網１００に加わりうる他の部材、要素乃至装置については簡明化のため説明を省略することとする。
【００１１】
コンテンツ源１０２は、１個又は複数個の受信装置１０６への送信に備えてコンテンツを取得又は生成する。取得、処理、出力、送信等の対象になりうるコンテンツの種類は、オーディオ、ビデオ、データ、情報等と多様である。本実施形態では、随所から来る多種多様なコンテンツが、ＴＶ配信システム１０４経由で受信装置１０６へと送られるのに先立ち、そのコンテンツ源１０２に蓄積される。自明な通り、このコンテンツ源１０２には、ストリーミング配信されるＴＶ番組、収録済のオーディオ乃至ビデオ、電子番組ガイド（ＥＰＧ）データ等を含め、概ねどのような形態・種類の情報でも蓄積させることができる。
【００１２】
ＴＶ配信システム１０４は、コンテンツ源１０２上のコンテンツを受信装置１０６宛に送信する。ＴＶ配信システム１０４の構成媒体としては、様々な有線通信媒体（ケーブル、ファイバ等）、様々な無線通信媒体（携帯電話、衛星、マイクロ波、その他無線周波数（ＲＦ）回線等）、或いはその組合せが使用され、ネットワークトポロジとしては任意のトポロジ（複数媒体併用時には複数通りのトポロジ）が使用される。ＴＶ配信システム１０４として使用できるシステムの例としては、地上波ＴＶ放送、ケーブルテレビジョン（ＣＡＴＶ）、衛星ＴＶ放送、ＩＰテレビジョン（ＩＰＴＶ）等のシステムがある。本実施系では、ＴＶ配信システム１０４から複数個の受信装置１０６例えばＴＶ受像機への放送（ブロードキャスト）乃至同報（マルチキャスト）でコンテンツが配信される。ＴＶ配信システム１０４が特定の受信装置１０６例えばＴＶ受像機宛に配信するビデオオンデマンド類似の形態でコンテンツを配信してもよい。本実施形態では、ＴＶ配信システム１０４の送信設備をコンテンツ源１０２として使用することができる。その例はオーバジエア（ＯＴＡ）地上波送信局、ＣＡＴＶ配信ヘッドエンド、衛星ＴＶアップリンクセンタ、ブロードバンドサーバ、インターネットサーバ等である。
【００１３】
本実施形態では、ＴＶ配信システム１０４によるコンテンツ送信が前掲のＡＴＳＣ−Ｍ／Ｈ規格（非特許文献１参照）に従い行われる。この規格では、個々のＡＴＳＣ方式ＴＶチャネルで使用可能な帯域の一部がモバイルデバイス向けビデオコンテンツ送信に利用される。即ち、一般に６ＭＨｚのＲＦ帯域幅があり最高で１９．４Ｍｂｐｓの伝送速度を呈する個別のＴＶチャネルが、都合複数通りの番組を配信できるよう複数個のサブチャネルに分割される。更に、そのＴＶチャネルが、ＡＴＳＣメイン規格準拠ＭＰＥＧ２エンコードサービス（通常のＴＶ番組等）並びにＡＴＳＣ−Ｍ／Ｈ規格準拠モバイルサービス（低解像度版のＴＶ番組等）の同時提供に利用される。このモバイルサービスを通じ配信される低解像度版番組は、携帯電話等のモバイルデバイスに備わるコンテンツ視聴用ハードウェアでも好適に再生可能である。
【００１４】
ネットワーク層でＭＰＥＧ２トランスポートストリームパケットが形成されるＡＴＳＣメイン規格と異なり、ＡＴＳＣ−Ｍ／Ｈ規格では、プレゼンテーション層でＭＰＥＧ４プロトコルに従い符号化されたモバイルデバイス向けビデオコンテンツが、セッション層でリアルタイムトランスポートプロトコル（ＲＴＰ）パケット、トランスポート層でユーザデータグラムプロトコル（ＵＤＰ）パケット、ネットワーク層でＩＰパケットにそれぞれ封入（カプセル化）される。その他、ＡＴＳＣ−Ｍ／Ｈ規格に従いユーザデバイス例えば受信装置１０６にコンテンツを送信する動作については、非特許文献１による詳示を参照されたい。
【００１５】
受信装置１０６は、ＴＶ配信システム１０４経由でコンテンツを随時受信し、受信したコンテンツをユーザ１１０による後刻視聴に備え保存し、また受信したコンテンツや保存済のコンテンツを出力装置１０８に随時送って視聴に供する。従って、受信装置１０６で受信されたコンテンツを、後刻再生に備えその受信装置１０６内の記録媒体に保存させつつ、出力装置１０８上で視聴することができる。本実施形態では、その出力装置１０８として、コンテンツをユーザ１１０向けに出力することが可能な表示装置、例えばＴＶ受像機が使用される。受信装置１０６にてアナログ、ディジタルその他のフォーマットで受信されたオーディオ／ビデオストリームは、その保存と並行し、出力装置１０８上で視聴することができる。
【００１６】
本実施形態では、コンテンツを受信、復調して表示装置乃至ＴＶ受像機に出力する機能を備えたＴＶ受像機、例えば衛星用、ＣＡＴＶ用、ＯＴＡ用、ブロードバンド用等のＴＶ受像機に、その受信装置１０６を一体化させることができる。更に、その受信装置１０６からのオーディオ／ビデオコンテンツ出力の管理、ＥＰＧの視認、録画タイマの設定等をユーザ１１０が行えるよう、出力メニュー等の情報を出力する機能をその受信装置１０６に設けることもできる。
【００１７】
出力装置１０８と一体な受信装置１０６の例としては、表示装置の機能を併有するＴＶ受像機、ディジタルビデオレコーダ（ＤＶＲ）等がある。携帯電話、ネットブック、携帯情報端末（ＰＤＡ）等のモバイル通信装置も、受信装置１０６及び出力装置１０８の機能を併有する装置である。
【００１８】
本実施形態では、特定コンテンツのリプレイやポーズを伴うトリックプレイモードを提供する機能を受信装置１０６に設けることもできる。この受信装置１０６では、ユーザ１１０による視聴の最中にコンテンツが保存されるので、そのコンテンツを事後的にユーザ１１０向けに再生することもできる。相応の録画タイマに従いその受信装置１０６を作動させること、例えば目的とするＴＶ番組をＴＶチューナ等のＴＶ信号受信手段で受信しハードディスクドライブ、フラッシュメモリ等の記録媒体に録画することも可能である。受信装置１０６に設けるＴＶ信号受信手段の個数は任意に定めることができる。ＴＶ信号受信手段が１個以上あれば、その受信装置１０６でＴＶ番組を受信し録画することができる。ＴＶ信号受信手段が複数個あれば、その受信装置１０６でＴＶ番組複数個のコンテンツを同時に受信することができる。例えば、使用する受信装置１０６にチューナが複数個備わっていれば、その受信装置１０６で複数個のＴＶ番組を同時に受信し録画、視聴等に供することができる。本実施形態では、複数種類のコンテンツ源からＴＶ番組を受信し録画等することができるよう受信装置１０６に複数種類のＴＶ信号受信手段を設けること、例えばＯＴＡチューナ・衛星チューナ、ＯＴＡチューナ・ＣＡＴＶチューナ等の組合せでチューナを併設することもできる。
【００１９】
本実施形態では、コンテンツの保存やデコードに先立ち受信信号のヘッダ情報が受信装置１０６にて除去される。例えば、チューナで受信されたＩＰパケット群からＩＰヘッダが除去され、そのＩＰパケット内のビデオコンテンツ等が録画される。本実施形態では、受信装置１０６内で他層のヘッダ情報、例えばＵＤＰヘッダやＲＴＰヘッダも除去されるので、記録媒体容量を効率的に利用することができる。
【００２０】
図２に、図１に示した受信装置の一例１０６Ａを示す。この受信装置１０６Ａは図１に示した通信網１００で使用可能な装置であり、無線受信機２０２、記録媒体２０４、制御用論理回路２０６、入力インタフェース２０８及びビデオデコーダ２１０を備えている。以下、個々の構成部材についてより詳細に説明する一方、同受信装置１０６Ａに設けうる他の部材、要素乃至装置については簡明化のため説明を省略することとする。
【００２１】
無線受信機２０２は、図１中のコンテンツ源１０２に由来するオーディオ／ビデオ入力２１２を受信する。具体的には、ＴＶ番組のコンテンツを運ぶ信号を受信する。この無線受信機２０２では、受信可能な様々な信号からオーディオ／ビデオ入力２１２を復調し、指定されたＴＶ番組に係る信号を抽出することができる。例えば、ＡＴＳＣ−Ｍ／Ｈ信号を受信し、図１中のユーザ１１０が視聴したがっているビデオコンテンツの信号を抽出することができる。本実施形態では、無線受信機２０２に備わるチューナの個数を複数にし、その受信装置１０６Ａで複数個のＴＶ番組を同時に出力乃至録画させることも可能である。
【００２２】
記録媒体２０４は、受信装置１０６Ａに到来した受信信号乃至コンテンツを一時的又は恒久的に保存するのに使用される。この記録媒体２０４としては、多々ある不揮発性メモリのうち、その受信装置１０６Ａに到来した受信信号乃至コンテンツを保存するのに相応しいものを使用する。その例としては、ハードディスクドライブ等の磁気メモリ、フラッシュメモリ、バッテリバックアップメモリその他がある。本実施形態では、受信装置１０６Ａに内蔵されるタイプの記録媒体２０４が使用される。受信装置１０６Ａに外付けされるタイプの記録媒体２０４も使用することができる。受信装置１０６Ａにおける信号乃至コンテンツの保存に、内蔵型，外付け型の両記録媒体２０４を併用することもできる。
【００２３】
入力インタフェース２０８は、ユーザ１１０からの入力を受け付け、更なる処理を担う制御用論理回路２０６に伝える。本実施形態では、この入力インタフェース２０８として、キーパッド、タッチスクリーン、スクロールボール／ホイール等、ユーザ１１０からの入力を受け付けうるマンマシンインタフェースが使用される。有線又は無線通信リンクを介しキーボード、マウス、リモートコントローラ等の外部入力装置と通信するタイプの入力インタフェース２０８も使用することができる。入力インタフェース２０８を介した入力は、制御用論理回路２０６にて、ビデオデコーダ２１０からのコンテンツ出力の制御等に使用される。ＥＰＧデータ、メニュー等の表示を制御用論理回路２０６に要求するデータとして使用される場合もある。
【００２４】
制御用論理回路２０６は受信装置１０６Ａの動作を制御する。この制御用論理回路２０６は、単一の処理デバイスで実現することも、複数個の処理デバイスが連携して受信装置１０６Ａの動作を制御する形態で実現することもできる。制御用論理回路２０６に、オーディオ／ビデオコンテンツの処理・出力を担う諸部材乃至モジュールを内蔵又は連携させることも可能である。例えば、無線受信機２０２で受信されたコンテンツを解読（暗号解除）する回路を、この制御用論理回路２０６に内蔵させることができる。
【００２５】
本実施形態では、無線受信機２０２で受信されたパケットのヘッダ情報が制御用論理回路２０６にて除去される。具体的には、ＩＰヘッダ情報、ＵＤＰヘッダ情報、ＲＴＰヘッダ情報等がそのパケットの想定仕様に従い除去される。ヘッダ情報が除去されたパケットは、記録媒体２０４への保存、ビデオデコーダ２１０での更なる処理等に供される。
【００２６】
ビデオデコーダ２１０は、ヘッダ情報除去済パケットが送られてきたとき、そのパケット内の圧縮版オーディオ／ビデオコンテンツをデコードして出力ストリームを発生させ、その出力ストリームを出力装置１０８に供給する。本実施形態で使用される出力装置１０８は受信装置１０６Ａに内蔵されているものである。そうした受信装置１０６Ａの例は、表示画面や内蔵スピーカで出力ストリームを再生することが可能な携帯電話である。本実施形態では、受信装置１０６Ａ外の出力装置１０８も使用することができる。その場合、ビデオデコーダ２１０から出力された非圧縮版のオーディオ／ビデオコンテンツを制御用論理回路２０６内の変調回路で変調し、出力装置１０８向けの信号へと変換すればよい。
【００２７】
制御用論理回路２０６は、オーディオ／ビデオ入力２１２を前述の通り記録媒体２０４に随時保存させる。本実施形態では、受信装置１０６Ａ上に設けられた録画タイマに応答して制御用論理回路２０６から指令を発することで、指定されたチャネルを無線受信機２０２に受信させ、そのコンテンツを記録媒体２０４に保存させるようにしている。
【００２８】
本実施形態では、制御用論理回路２０６が随時、オーディオ／ビデオ入力２１２を表示用の出力装置１０８に出力する等の手段で、オーディオ／ビデオ出力ストリーム２１６を当該オーディオ／ビデオ入力２１２に基づき発生させる。また、制御用論理回路２０６は、随時、記録媒体２０４から保存済ビデオコンテンツを読み出すことでオーディオ／ビデオ出力ストリームを発生させる。発生したオーディオ／ビデオ出力ストリームは、出力装置１０８でユーザ１１０向けに出力される。制御用論理回路２０６内に設けるオーディオ／ビデオストリーム出力回路は、出力装置１０８で認識可能なフォーマット、例えばコンポジットビデオ、コンポーネントビデオ、ディジタルビジュアルインタフェース（ＤＶＩ）、高品位マルチメディアインタフェース（ＨＤＭＩ：登録商標）、ＩＥＥＥ１３９４、ＷｉＦｉ（登録商標）等のフォーマットでオーディオ／ビデオ出力ストリームを生成する回路とすればよい。制御用論理回路２０６内に設けるオーディオ／ビデオストリーム出力回路を、上掲のものやそれ以外のものを含め、複数通りのフォーマットをサポートする回路としてもよい。前述の如く出力装置１０８と一体な受信装置１０６Ａを使用する場合には、その出力装置１０８によるオーディオ／ビデオ出力ストリームの表示等を制御用論理回路２０６の動作で制御することができる。
【００２９】
制御用論理回路２０６は、ＴＶ番組の録画を求めるユーザ入力に応じ、その又はそれらの番組に係るオーディオ／ビデオ入力２１２を保存させる。制御用論理回路２０６は、そのＴＶ番組それぞれに係る録画タイマを設定することでこれを実行する。その設定をユーザ１１０が目視確認、修正して矛盾を解消するのに役立つメニュー等の情報を、制御用論理回路２０６の許でユーザインタフェース上に出力させるようにしてもよい。
【００３０】
本実施形態では、コンテンツを保存するのと同時に、出力装置１０８にてそのコンテンツを表示等させることができる。例えば、ＡＴＳＣ−Ｍ／Ｈ信号が無線受信機２０２で受信されると、制御用論理回路２０６にてその信号中のＩＰパケット群が処理される。即ち、制御用論理回路２０６にてパケットからＩＰヘッダ情報が除去される。ヘッダ情報が除去されたパケットは、制御用論理回路２０６の許で記録媒体２０４に保存されるのと同時に、その制御用論理回路２０６からビデオデコーダ２１０へと送られ、ビデオデコーダ２０１でのデコード、ひいては出力装置１０８への出力に供される。従って、受信装置１０６Ａのユーザ１１０は、ＡＴＳＣ−Ｍ／Ｈ規格に従い配信された番組のうち所望のものを視聴と同時に録画させることができる。
【００３１】
図３に、ビデオコンテンツを受信及び録画するプロセスの一例を示す。以下、この図のプロセスについて、ＡＴＳＣ−Ｍ／Ｈ信号を受信しコンテンツを保存する場合を例に説明することとする。但し、ご理解頂けるように、本プロセスはパケット化コンテンツの受信全般に適用可能である。この図は網羅的なものではないので、簡明化のため図示されていない諸ステップを本プロセスに加えることも可能である。
【００３２】
本プロセスは、放送者からＡＴＳＣ−Ｍ／Ｈ信号を受信するステップ３０２を有している。このステップでは、例えば携帯電話内のＡＴＳＣ−Ｍ／Ｈチューナがモバイルデバイス向けの信号を受信し、指定されているチャネル乃至番組に係るビデオコンテンツを抽出する。具体的には、ＡＴＳＣ−Ｍ／ＨチューナがＡＴＳＣ−Ｍ／Ｈ信号を受信してビデオコンテンツ入りＩＰパケット群を抽出し受信装置内制御用論理回路に供給する。
【００３３】
本プロセスは、ＡＴＳＣ−Ｍ／Ｈ信号を処理しそのビデオコンテンツからヘッダ情報を除去するステップ３０４も有している。このステップでは、制御用論理回路が例えばＩＰパケット群を受け取りそこからＩＰヘッダ情報を除去する。ＩＰパケットにはＵＤＰデータが封入されているので、このＩＰヘッダ情報除去に伴いビデオコンテンツ込みのＵＤＰパケットが現れる。そのＵＤＰパケットからＵＤＰヘッダ情報を除去し、ＲＴＰパケットとして扱うことも可能である。こうして得られるＵＤＰパケット乃至ＲＴＰパケットは、出力に備えビデオデコーダに転送するのと同時に、保存に備え記録媒体に転送することができる。
【００３４】
本プロセスは、ヘッダ情報除去済パケット群を受信装置の記録媒体上に保存するステップ３０６を有している。このステップでは、受信装置内制御用論理回路が例えばＵＤＰパケット群を記録媒体（例えばフラッシュメモリ）に転送し、ユーザ向けの事後再生に備えそこに一時又は恒久保存させる。
【００３５】
本プロセスは、録画済番組の視聴を求めるユーザ入力を受領するステップ３０８を有している。このステップでは、例えば、出力装置での視聴に供しうる録画済番組のメニューを受信装置がユーザ向けに提示し、視聴したい録画済番組をユーザに指定させる。ユーザが番組をライブ視聴することや、コンテンツの部分リプレイやコンテンツの一時停止を伴うトリックプレイモード機能を使用することも可能である。
【００３６】
本プロセスは、記録媒体上の録画済ビデオコンテンツにアクセスするステップ３１０、並びにそのビデオコンテンツを出力し出力装置上で表示させるステップ３１２も有している。これらのステップでは、例えば、受信装置内制御用論理回路が録画済ビデオコンテンツに対するアクセスを求め、ビデオデコーダがそのビデオコンテンツを受け取ってデコードし、その受信装置に係る画面上に表示させる。
【００３７】
ステップ３０４で得られたヘッダ情報除去後のパケット群を、前述の通り、その保存と同時にユーザ向け表示に使用することもできる。そのため、本プロセスは、ビデオコンテンツを出力して出力装置による表示に供するステップ３１４を有している。このステップでは、ビデオデコーダが（例えばＵＤＰ又はＲＴＰフォーマットの）ヘッダ情報除去済パケット群を受け取り、そのパケット中のビデオコンテンツをデコードし、その受信装置に係る画面上に表示させる。
【００３８】
以上、特定の実施形態を参照して説明したが、本発明の技術的範囲はそれらに限定されるものではない。本発明の技術的範囲には、別紙特許請求の範囲に記載されている構成及びそれに対し均等な諸構成が包含される。
【図１】
2013511910.tif 000003
【図２】
2013511910.tif 000004
【図３】
2013511910.tif 000005
【国際調査報告】
2013511910.tif 000006
2013511910.tif 000007
2013511910.tif 000008